(57)【要約】【課題】移動物体を開けるときに大きな力が必要となるとともに、装置の製造コストが高くなる要因であるダンパーを用いることなく、移動物体の急激な閉じ動作を防止するとともに、移動物体を閉止位置まで自動的に閉じるようにすることができる引戸等の移動物体の自動閉止装置を提供すること。【解決手段】引戸等の移動物体Ｄ及び固定側Ｆの一方に配設されるスライダ１１、スライダ１１を案内するガイド部材１２及びスライダ１１を付勢するばね１３を備えた第１部材１と、他方に配設されるトリガー２１を備えた第２部材２とからなり、第１部材１が、スライダ１１にトリガー２１が最初に当接したときに、スライダ１１とガイド部材１２とが一時的に係止され、非当接状態になったときに係止状態が解除される係止機構１４を備える。【選択図】図１
2020101047.tif 000002
【特許請求の範囲】
【請求項１】
引戸等の移動物体及び固定側の一方に配設されるスライダ、該スライダを案内するガイド部材及びスライダを付勢するばねを備えた第１部材と、他方に配設されるトリガーを備えた第２部材とからなる引戸等の移動物体の自動閉止装置において、前記第１部材が、スライダにトリガーが最初に当接したときに、スライダとガイド部材とが一時的に係止され、非当接状態になったときに係止状態が解除される係止機構を備えてなることを特徴とする引戸等の移動物体の自動閉止装置。
【請求項２】
前記ガイド部材が、スライダを挟んで平行に位置する２枚の板状片からなり、該板状片にガイド溝を形成し、該ガイド溝に沿って移動する２本のガイド軸をスライダに両端をかしめて設けることによって、該スライダを案内するようにしてなることを特徴とする請求項１に記載の引戸等の移動物体の自動閉止装置。
【請求項３】
前記第２部材が、トリガーを付勢するばねを備えてなることを特徴とする請求項１又は２に記載の引戸等の移動物体の自動閉止装置。
【発明の詳細な説明】
【技術分野】
【０００１】
本発明は、引戸、引き出し等の摺動して移動する物体の自動閉止装置に関するものである。
【背景技術】
【０００２】
従来、引戸、引き出し等の摺動して移動する物体（本明細書において、「移動物体」という。）を閉止する際に、移動物体に加えた力が大きすぎた場合、戸枠等の固定側に移動物体が衝突して衝撃音が発生したり、指を挟んだり、跳ね返って完全に閉止できないことがあった。
逆に移動物体に加える力が小さすぎた場合、完全に移動物体が閉まらずに途中で止まってしまうことがあった。
【０００３】
このような問題に対処すべく、移動物体を所定の開放位置から閉止位置まで自動的に閉じるようにした移動物体の自動閉止装置が提案され、実用化されている（特許文献１〜２参照。）。
この種の移動物体の自動閉止装置は、ばねとダンパーとを併用することによって、移動物体の急激な閉じ動作を防止するとともに、移動物体を閉止位置まで自動的に閉じるようにしている。
【先行技術文献】
【特許文献】
【０００４】
【特許文献１】特開２００６−６３７６７号公報
【特許文献２】特開２００９−７９３９２号公報
【発明の概要】
【発明が解決しようとする課題】
【０００５】
ところで、上記従来の移動物体の自動閉止装置は、ダンパーの力が大きくなるため、移動物体を開けるときに大きな力が必要となるほか、装置の製造コストが高くなるという問題があった。
【０００６】
本発明は、上記従来の移動物体の自動閉止装置が有する問題点に鑑み、移動物体を開けるときに大きな力が必要となるとともに、装置の製造コストが高くなる要因であるダンパーを用いることなく、移動物体の急激な閉じ動作を防止するとともに、移動物体を閉止位置まで自動的に閉じるようにすることができる引戸等の移動物体の自動閉止装置を提供することを目的とする。
【課題を解決するための手段】
【０００７】
上記目的を達成するため、本発明の引戸等の移動物体の自動閉止装置は、引戸等の移動物体及び固定側の一方に配設されるスライダ、該スライダを案内するガイド部材及びスライダを付勢するばねを備えた第１部材と、他方に配設されるトリガーを備えた第２部材とからなる引戸等の移動物体の自動閉止装置において、前記第１部材が、スライダにトリガーが最初に当接したときに、スライダとガイド部材とが一時的に係止され、非当接状態になったときに係止状態が解除される係止機構を備えてなることを特徴とする。
【０００８】
この場合において、前記ガイド部材が、スライダを挟んで平行に位置する２枚の板状片からなり、該板状片にガイド溝を形成し、該ガイド溝に沿って移動する２本のガイド軸をスライダに両端をかしめて設けることによって、該スライダを案内するようにしてなるようにすることができる。
【０００９】
また、前記第２部材が、トリガーを付勢するばねを備えてなるようにすることができる。
【発明の効果】
【００１０】
本発明の引戸等の移動物体の自動閉止装置によれば、引戸等の移動物体及び固定側の一方に配設されるスライダ、該スライダを案内するガイド部材及びスライダを付勢するばねを備えた第１部材と、他方に配設されるトリガーを備えた第２部材とからなる引戸等の移動物体の自動閉止装置において、前記第１部材が、スライダにトリガーが最初に当接したときに、スライダとガイド部材とが一時的に係止され、非当接状態になったときに係止状態が解除される係止機構を備えてなるようにすることで、ダンパーを用いないようにするとともに、ばねの付勢力を移動物体を閉止位置まで自動的に閉じるために必要最小限の大きさに設定することによって、移動物体を閉止位置まで自動的に閉じるようにしながら、移動物体を開けるときに大きな力を必要とせず、装置の製造コストを低廉にすることができる。
【００１１】
また、前記ガイド部材が、スライダを挟んで平行に位置する２枚の板状片からなり、該板状片にガイド溝を形成し、該ガイド溝に沿って移動する２本のガイド軸をスライダに両端をかしめて設けることによって、該スライダを案内するようにしてなるようにすることにより、ガイド部材を構成する２枚の板状片の間隔をガイド軸によって保持することでガイド部材の変形を防止し、安定してスライダを案内するようにすることができる。
【００１２】
また、前記第２部材が、トリガーを付勢するばねを備えてなるようにすることにより、スライダにトリガーが当接したときの衝撃を緩衝することができる。
【図面の簡単な説明】
【００１３】
【図１】本発明の引戸等の移動物体の自動閉止装置の一実施例の引戸を開状態から閉状態にするときの正面図である。
【図２】同引戸等の移動物体の自動閉止装置の引戸が閉状態のときの正面図である。平面図である。
【図３】同引戸等の移動物体の自動閉止装置のスライダの作動状態を示す正面図である。
【図４】同引戸等の移動物体の自動閉止装置のスライダと係止機構の凹部との位置関係を示す正面図である。
【図５】同引戸等の移動物体の自動閉止装置のスライダ及び係止機構の作動状態を示す断面図で、（ａ）は係止機構が非係止状態のとき、（ｂ）は係止機構が係止状態のときを示す。
【図６】同引戸等の移動物体の自動閉止装置の第２部材の本体を示す説明図である。
【図７】同引戸等の移動物体の自動閉止装置の第２部材のトリガーを示す説明図である。
【発明を実施するための形態】
【００１４】
以下、本発明の引戸等の移動物体の自動閉止装置の実施の形態を、図面に基づいて説明する。
【００１５】
図１〜図７に、本発明の引戸等の移動物体の自動閉止装置の一実施例を示す。
この引戸等の移動物体の自動閉止装置は、引戸等の移動物体Ｄ及び固定側Ｆの一方、例えば、固定側である戸枠の上框Ｆに配設されるスライダ１１、該スライダ１１を案内するガイド部材１２及びスライダ１１を付勢するばね１３を備えた第１部材１と、他方、例えば、移動物体である引戸Ｄに配設されるトリガー２１を備えた第２部材２とからなり、第１部材１が、スライダ１１にトリガー２１が最初に当接したときに、スライダ１１とガイド部材１２とが一時的に係止され、非当接状態になったときに係止状態が解除される係止機構１４を備えるようにしている。
【００１６】
スライダ１１は、トリガー２１が当接する第１突起１１ａ及び第２突起１１ｂを、第１突起１１ａと第２突起１１ｂの間にトリガー２１が入り込むことができる間隔をあけて備えるようにしている。
【００１７】
ガイド部材１２は、両端部をスペーサ（図示省略）を介して固定することで、スライダ１１を挟んで平行に位置する２枚の板状片１２ａからなり、板状片１２ａにガイド溝１２ｂをそれぞれ形成し、ガイド溝１２ｂに沿って移動する２本のガイド軸１５をスライダ１１に両端をかしめて設けることによって、スライダ１１を案内するようにしている。
これにより、ガイド部材１２を構成する２枚の板状片１２ａの間隔をガイド軸１５によって保持することでガイド部材１２の変形を防止し、安定してスライダ１１を案内するようにすることができる。
【００１８】
ガイド溝１２ｂは、直線状をなし、その一端側が湾曲した形状に形成することで、スライダ１１を、トリガー２１が当接するスライダ１１の第１突起１１ａがガイド部材１２から突出し、第２突起１１ｂがガイド部材１２内に格納される待機位置（図１及び図３（ａ））と、第１突起１１ａ及び第２突起１１ｂがガイド部材１２から突出する作動位置（図２及び図３（ｂ）〜（ｄ））とに位置させることができるようにしている。
【００１９】
ばね１３は、スライダ１１をガイド溝１２ｂの直線状の端部側に引き寄せる方向に付勢するもので、その付勢力を引戸Ｄを閉止位置まで自動的に閉じるために必要最小限の大きさに設定するようにすることが好ましい。
これにより、引戸Ｄを開けるときに大きな力を必要としないようにすることができる。
ここで、待機位置（図１及び図３（ａ））では、ガイド軸１５が湾曲した形状に形成されたガイド溝１２ｂに引っ掛かることで、ばね１３の付勢力を受けたスライダ１１が移動することなく、安定して保持されるようにしている。
【００２０】
係止機構１４は、待機位置（図１及び図３（ａ））にあるスライダ１１の第１突起１１ａにトリガー２１が最初に当接したときに、スライダ１１とガイド部材１２とが一時的に係止され、非当接状態になったときに係止状態が解除されるようにするもので、第１突起１１ａにばね１４ｂの付勢力を受けて突出するように配設される押圧片１４ａと、押圧片１４ａにトリガー２１が当接したときに、押圧片１４ａの先端に形成した尖鋭部によって側方に押し出されるように付勢されるボール１４ｃと、押し出されたボール１４ｃが入り込むガイド部材１２を構成する板状片１２ａに形成された凹部１４ｄとからなるようにしている。
ここで、ボール１４ｃが入り込む凹部１４ｄを形成する位置、すなわち、スライダ１１とガイド部材１２とが一時的に係止される位置は、スライダ１１の第１突起１１ａにトリガー２１が最初に当接する位置の近傍に設定することができるが、本実施例においては、待機位置（図１及び図３（ａ））にあるスライダ１１の第１突起１１ａの押圧片１４ａにトリガー２１が当接することによって、スライダ１１がガイド部材１２から引き出され（図３（ｂ））、ガイド溝１２ｂの湾曲した部分から直線状の部分に移行する位置（図３（ｃ））に形成するようにしている。
【００２１】
第２部材２は、トリガー２１を、スライダ１１の第１突起１１ａの押圧片１４ａに向けて付勢するばね２２を備えるようにしている。
これにより、スライダ１１にトリガー２１が当接したときの衝撃を緩衝することができる。
【００２２】
次に、この引戸等の移動物体の自動閉止装置の作動について説明する。
まず、引戸Ｄを開状態から閉状態にするときの作動について説明する。
引戸Ｄを開状態から閉じる方向に移動させると、待機位置（図１及び図３（ａ））にあるスライダ１１の第１突起１１ａ（係止機構１４の押圧片１４ａ）にトリガー２１が当接し、スライダ１１がガイド部材１２から引き出され（図３（ｂ））、ガイド溝１２ｂの湾曲した部分から直線状の部分に移行する位置（図３（ｃ））まで移動する。
スライダ１１の第１突起１１ａにトリガー２１が当接したときの衝撃は、第２部材２に備えた、トリガー２１を、スライダ１１の第１突起１１ａの押圧片１４ａに向けて付勢するばね２２によって緩衝することができる。
【００２３】
スライダ１１がガイド溝１２ｂの湾曲した部分から直線状の部分に移行する位置（図３（ｃ））まで移動したときに、係止機構１４の押圧片１４ａが、トリガー２１から受ける押圧力によってばね１４ｂの付勢力に抗して押し込まれ、押圧片１４ａの先端部に位置するボール１４ｃが、押圧片１４ａの先端に形成した尖鋭部によって側方に押し出され、ガイド部材１２を構成する板状片１２ａに形成された凹部１４ｄに入り込むことで、スライダ１１とガイド部材１２とが一時的に係止されることで、引戸Ｄは停止する。
これにより、引戸Ｄを閉じる方向に加えた力が大きすぎた場合でも、戸枠等の固定側に引戸Ｄが衝突して衝撃音が発生したり、指を挟んだり、跳ね返って完全に閉止できないことを防止することができる。
【００２４】
引戸Ｄが停止すると、その反動及び係止機構１４のばね１４ｂの付勢力の作用によって、押し込まれた押圧片１４ａが元の状態に復帰し、スライダ１１とガイド部材１２との一時的な係止状態が解除され、スライダ１１は、ばね１３の付勢力によって、ガイド溝１２ｂの直線状の端部側に引き寄せられるように移動する（図３（ｄ））。
このとき、トリガー２１は、スライダ１１に備えた第１突起１１ａと第２突起１１ｂの間に入り込むようになっているため、スライダ１１の移動に合わせて、第２突起１１ｂに当接することで、引戸Ｄを閉じる方向に移動させることができるようにしている。
【００２５】
ここで、第１部材１の戸枠の上框Ｆに配設する位置は、図２に示す本実施例のように、スライダ１１がガイド溝１２ｂの直線状の端部に達した状態で、トリガー２１と第２突起１１ｂの当接状態が解除されるようにする（引戸Ｄを慣性力で閉状態まで移動させるようにする。）ほか、トリガー２１と第２突起１１ｂの当接状態が維持されるようにしたり（引戸Ｄをばね１３の付勢力で閉状態まで移動させるようにする。）、スライダ１１がガイド溝１２ｂの直線状の端部に達する前に、引戸Ｄが閉状態となり、トリガー２１と第２突起１１ｂの当接状態が維持されるようにしたりする（引戸Ｄにばね１３の付勢力がかかった状態にする。）ことができる。
【００２６】
次に、引戸Ｄを閉状態から開状態にするときの作動について説明する。
引戸Ｄを閉状態から開く方向に移動させると、作動位置（図２）にあるスライダ１１の第２突起１１ｂにトリガー２１が当接し、スライダ１１がガイド溝１２ｂの直線状の部分から湾曲した部分（待機位置（図１及び図３（ａ）））まで移動し、トリガー２１と第２突起１１ｂとの当接状態が解除される。
このとき、第１部材１のばね１３の付勢力を引戸Ｄを閉止位置まで自動的に閉じるために必要最小限の大きさに設定することによって、引戸Ｄを開けるときに大きな力を必要としないようにすることができる。
【００２７】
そして、トリガー２１と第２突起１１ｂとの当接状態が解除されることで、スライダ１１は、待機位置（図１及び図３（ａ））で安定して保持され、引戸Ｄは、自由に開く方向に移動させることができる。
【００２８】
以下、同様の作動で、引戸Ｄを開状態から閉状態に、そして、閉状態から開状態にすることができる。
【００２９】
この引戸等の移動物体の自動閉止装置は、ダンパーを用いないようにするとともに、第１部材１のばね１３の付勢力を移動物体である引戸Ｄを閉止位置まで自動的に閉じるために必要最小限の大きさに設定することによって、引戸Ｄを閉止位置まで自動的に閉じるようにしながら、引戸Ｄを開けるときに大きな力を必要とせず、装置の製造コストを低廉にすることができる。
【００３０】
以上、本発明の引戸等の移動物体の自動閉止装置について、その実施例に基づいて説明したが、本発明は上記実施例に記載した構成に限定されるものではなく、例えば、第１部材１を移動物体である引戸Ｄに配設し、第２部材２を固定側である戸枠の上框Ｆに配設するようにしたり、引戸Ｄ以外の引き出し等の摺動して移動する物体に適用するものとする等、その趣旨を逸脱しない範囲において適宜その構成を変更することができるものである。
【産業上の利用可能性】
【００３１】
本発明の引戸等の移動物体の自動閉止装置は、移動物体を開けるときに大きな力が必要となるとともに、装置の製造コストが高くなる要因であるダンパーを用いることなく、移動物体の急激な閉じ動作を防止するとともに、移動物体を閉止位置まで自動的に閉じるようにすることができる特性を有していることから、引戸、引き出し等の摺動して移動する物体の自動閉止装置の用途に好適に用いることができる。
【符号の説明】
【００３２】
Ｄ  引戸（移動物体）
Ｆ  戸枠の上框（固定側）
１  第１部材
１１  スライダ
１１ａ  第１突起
１１ｂ  第２突起
１２  ガイド部材
１２ａ  板状片
１２ｂ  ガイド溝
１３  ばね
１４  係止機構
１４ａ  押圧片
１４ｂ  ばね
１４ｃ  ボール
１４ｄ  凹部
２  第２部材
２１  トリガー
２２  ばね
【図１】
2020101047.tif 000003
【図２】
2020101047.tif 000004
【図３】
2020101047.tif 000005
【図４】
2020101047.tif 000006
【図５】
2020101047.tif 000007
【図６】
2020101047.tif 000008
【図７】
2020101047.tif 000009